(57)【要約】  寝かしつけ支援装置は、乳児のバイタルサインを示す第１のデータを収集する第１の収集部を有する第１のセンサと、前記第１のデータに基づき、養育者に介抱された前記乳児の前記バイタルサインが第１の条件を充足するか否かを検出する検出部と、前記第１の条件の充足が検出されると、前記乳児を横たえるタイミングに関する第１の情報を生成する生成部と、生成された前記第１の情報を前記養育者へ出力する出力装置とを有する電子機器とを備える。
2020049624.tif 000002
【特許請求の範囲】
【請求項１】
乳児のバイタルサインを示す第１のデータを収集する第１の収集部を有する第１のセンサと、
前記第１のデータに基づき、養育者に介抱された前記乳児の前記バイタルサインが第１の条件を充足するか否かを検出する検出部と、前記第１の条件の充足が検出されると、前記乳児を横たえるタイミングに関する第１の情報を生成する生成部と、生成された前記第１の情報を前記養育者へ出力する出力装置とを有する電子機器とを備える、
寝かしつけ支援装置。
【請求項２】
請求項１に記載の寝かしつけ支援装置において、
前記電子機器は、前記養育者が前記乳児を横たえた結果を示す第２のデータおよび前記第１のデータに基づき前記第１の条件を設定する設定部をさらに有する、
寝かしつけ支援装置。
【請求項３】
請求項２に記載の寝かしつけ支援装置において、
前記第１のデータと、前記第２のデータと、前記養育者または前記乳児を識別する第３のデータとを含む第２の情報を前記電子機器から取得する取得部と、前記第２の情報に基づいて前記第１の条件を決定する決定部とを有する情報処理装置をさらに備え、
前記設定部は、前記決定部によって決定された前記第１の条件を設定する、
寝かしつけ支援装置。
【請求項４】
請求項２または請求項３に記載の寝かしつけ支援装置において、
前記電子機器は、前記養育者が前記結果を入力するための入力インタフェースをさらに有し、
前記電子機器の前記生成部は、前記入力インタフェースを介して入力された前記結果に基づいて前記第２のデータを生成する、
寝かしつけ支援装置。
【請求項５】
請求項２または請求項３に記載の寝かしつけ支援装置において、
前記電子機器は、前記第１のデータ、前記第１のセンサの状態、および前記第１のセンサとは異なる第２のセンサによる検出内容のうちの少なくとも一つに基づいて、横たわった前記乳児の前記バイタルサインが第２の条件を充足するか否かに関する判定を行う判定部をさらに有し、
前記電子機器の前記生成部は、前記判定に基づいて、前記結果を示す前記第２のデータを生成する、
寝かしつけ支援装置。
【請求項６】
請求項５に記載の寝かしつけ支援装置において、
前記第２のセンサは、前記養育者または前記乳児の姿勢に関する状態を示す第４のデータを収集する第２の収集部を有し、
前記検出部は、前記第４のデータに基づき、前記乳児が前記養育者に介抱された状態から、前記乳児が横たわった状態への状態変化を検出し、
前記状態変化が検出されると、前記判定部は前記判定を開始する、
寝かしつけ支援装置。
【請求項７】
請求項１から請求項６までのいずれか一項に記載の寝かしつけ支援装置において、
前記乳児の前記バイタルサインは前記乳児の脳波を含む、
寝かしつけ支援装置。
【発明の詳細な説明】
【技術分野】
【０００１】
本発明は、寝かしつけ支援装置に関する。
【背景技術】
【０００２】
ベッドに就いた子供の睡眠行動に応じて子供の睡眠の質を改善するための行動プログラムを提案するシステムが開示されている（特許文献１参照）。
【先行技術文献】
【特許文献】
【０００３】
【特許文献１】日本国特開２０１１−１９９０９号公報
【発明の概要】
【発明が解決しようとする課題】
【０００４】
特許文献１に開示された技術によると、養育者が介抱している状態で入眠した乳児をベッドに横たえたときに、その乳児が覚醒する可能性があるという問題がある。
【課題を解決するための手段】
【０００５】
本発明の第１の態様によると、寝かしつけ支援装置は、乳児のバイタルサインを示す第１のデータを収集する第１の収集部を有する第１のセンサと、前記第１のデータに基づき、養育者に介抱された前記乳児の前記バイタルサインが第１の条件を充足するか否かを検出する検出部と、前記第１の条件の充足が検出されると、前記乳児を横たえるタイミングに関する第１の情報を生成する生成部と、生成された前記第１の情報を前記養育者へ出力する出力装置とを有する電子機器とを備える。
本発明の第２の態様によると、第１の態様の寝かしつけ支援装置において、前記電子機器は、前記養育者が前記乳児を横たえた結果を示す第２のデータおよび前記第１のデータに基づき前記第１の条件を設定する設定部をさらに有するのが好ましい。
本発明の第３の態様によると、第２の態様の寝かしつけ支援装置において、前記第１のデータと、前記第２のデータと、前記養育者または前記乳児を識別する第３のデータとを含む第２の情報を前記電子機器から取得する取得部と、前記第２の情報に基づいて前記第１の条件を決定する決定部とを有する情報処理装置をさらに備えるのが好ましい。前記設定部は、前記決定部によって決定された前記第１の条件を設定する。
本発明の第４の態様によると、第２または第３の態様の寝かしつけ支援装置において、前記電子機器は、前記養育者が前記結果を入力するための入力インタフェースをさらに有し、前記電子機器の前記生成部は、前記入力インタフェースを介して入力された前記結果に基づいて前記第２のデータを生成するのが好ましい。
本発明の第５の態様によると、第２または第３の態様の寝かしつけ支援装置において、前記電子機器は、前記第１のデータ、前記第１のセンサの状態、および前記第１のセンサとは異なる第２のセンサによる検出内容のうちの少なくとも一つに基づいて、横たわった前記乳児の前記バイタルサインが第２の条件を充足するか否かに関する判定を行う判定部をさらに有し、前記電子機器の前記生成部は、前記判定に基づいて、前記結果を示す前記第２のデータを生成するのが好ましい。
本発明の第６の態様によると、第５の態様の寝かしつけ支援装置において、前記第２のセンサは、前記養育者または前記乳児の姿勢に関する状態を示す第４のデータを収集する第２の収集部を有するのが好ましい。前記検出部は、前記第４のデータに基づき、前記乳児が前記養育者に介抱された状態から、前記乳児が横たわった状態への状態変化を検出する。前記状態変化が検出されると、前記判定部は前記判定を開始する。
本発明の第７の態様によると、第１から第６のいずれかの態様による寝かしつけ支援装置において、前記乳児の前記バイタルサインは前記乳児の脳波を含むのが好ましい。
【発明の効果】
【０００６】
本発明によれば、養育者が介抱している状態で入眠した乳児をベッドに横たえたときに、その乳児が覚醒する可能性を低減するという効果が得られる。
【図面の簡単な説明】
【０００７】
【図１】図１は、本発明の第１の実施の形態における寝かしつけ支援装置の構成を示す図である。
【図２】図２は、脳波センサを着用した乳児を養育者がベッドに寝かしつける様子を例示する図である。
【図３】図３は、覚醒時、浅い睡眠時、および深い睡眠時における脳波の例を示す模式図である。
【図４】図４は、電子機器における寝かしつけのタイミングに関する寝かしつけタイミング情報の出力を例示する図である。
【図５】図５は、寝かしつけ実行結果の履歴データを例示する図である。
【図６】図６は、電子機器においてコンピュータプログラムが走行することによって行われる寝かしつけ支援処理を例示する図である。
【図７】図７は、本発明の第２の実施の形態における寝かしつけ支援装置の構成を示す図である。
【図８】図８は、電子機器および情報処理装置においてコンピュータプログラムが走行することによって行われる寝かしつけ支援処理を例示する図である。
【図９】図９は、本発明の第３の実施の形態における寝かしつけ支援装置の構成を示す図である。
【図１０】図１０は、電子機器においてコンピュータプログラムが実行されることによって行われる寝かしつけ支援処理を例示する図である。
【図１１】図１１は、寝かしつけ実行結果に関する通知情報の出力を例示する図である。
【図１２】図１２は、電子機器および／または情報処理装置で走行するコンピュータプログラムの製品供給態様を例示する図である。
【発明を実施するための形態】
【０００８】
乳児の養育者は、その乳児を寝かしつけようとする際、入眠前の乳児をベッドに横たえるのではなく、通常は、乳児を介抱した状態で乳児が入眠したのを確認した後、入眠した乳児をベッドに横たえる。しかし、養育者が介抱している状態で入眠した乳児をベッドに横たえたときにその乳児が覚醒して泣き出すといった、寝かしつけに失敗する事象がしばしば見られ、寝かしつけに成功するまで、その事象が何度も繰り返される場合がある。後述する本発明の各実施の形態における寝かしつけ支援装置は、寝かしつけに失敗する可能性を低減し、効率的な寝かしつけを支援する。
【０００９】
−第１の実施の形態−
本発明の第１の実施の形態における寝かしつけ支援装置１について、図１から図６を用いて説明する。
【００１０】
図１は、第１の実施の形態における寝かしつけ支援装置１の構成を示す図である。図１（ａ）において、寝かしつけ支援装置１は、脳波センサ５と電子機器１０とを含み、脳波センサ５は、電子機器１０へＢｌｕｅｔｏｏｔｈ（登録商標）等の無線通信を介して接続されている。電子機器１０は、例えば、携帯電話機またはタブレットコンピュータ等の携帯端末であり、専用端末であっても汎用端末であってもよい。
【００１１】
図１（ｂ）に示すように、脳波センサ５は、プロセッサ６、メモリ７および通信モジュール８を有する。メモリ７に格納されているコンピュータプログラムをプロセッサ６が起動することによって、プロセッサ６は、脳波センサ５を着用した人間の脳波を収集する脳波データ収集部６１を論理的に有するとともに、通信モジュール８の動作を制御して収集された脳波を電子機器１０へ送信する。すなわち、脳波データ収集部６１は、脳波センサ５を着用した乳児の脳波データを収集するとともに、収集した脳波データを、通信モジュール８を介して電子機器１０へ送信する。
【００１２】
図１（ｃ）に示すように、電子機器１０は、プロセッサ１１、メモリ１２、入力インタフェース１３、出力装置１４および通信モジュール１５を有する。プロセッサ１１が、メモリ１２に格納されているコンピュータプログラムを起動することによって、入力インタフェース１３、出力装置１４及び通信モジュール１５の動作を制御する。入力インタフェース１３は、例えばタッチパネルであって、画面入力機能を有する。ユーザが画面入力機能を利用することによって、画面入力情報が、後述する寝かしつけ実行結果を示すデータとして入力インタフェース１３に入力される。出力装置１４は、例えばディスプレイおよび／またはタッチパネルであって、画面出力機能を有する。通信モジュール１５は、脳波センサ５から電子機器１０へ送信された脳波データを受信する。
【００１３】
電子機器１０のプロセッサ１１は、メモリ１２に格納されているコンピュータプログラムを起動することによって、取得・送出部１１１と、検出部１１２と、生成部１１３と、設定部１１４とを論理的に有する。取得・送出部１１１は、通信モジュール１５によって受信された脳波センサ５からの脳波データを取得する。検出部１１２は、取得された脳波データに基づき、脳波が後述する寝かしつけ実行条件を充足するか否かを検出する。生成部１１３は、後述するように、出力装置１４に出力される寝かしつけのタイミングに関する寝かしつけタイミング情報と、養育者３が乳児２を横たえた結果、すなわち寝かしつけ実行結果を示す結果データとを生成する。設定部１１４は、後述するように、脳波データと、寝かしつけ実行結果を示すデータとに基づき、寝かしつけ実行条件を設定または再設定する。
【００１４】
図２は、脳波センサ５を着用した乳児２を養育者３がベッド４に寝かしつける様子を例示する図である。養育者３が乳児２を寝かしつけようとする際、乳児２は、図２（ａ）に示すように養育者３に介抱された状態で入眠すると、図２（ｂ）に示すように養育者３によって体が傾けられながらベッド４へ横たえられようとすることがある。乳児２は、ベッド４へ横たわってからも覚醒しなければ、寝かしつけ成功である。
【００１５】
しかし、乳児２は、ベッド４へ横たわった際、或いはその前に体が傾けられた際に、養育者３の期待に反して覚醒し、泣き始めることがある。そのような場合は寝かしつけ失敗であり、寝かしつけは、図２（ａ）に示すような乳児２が養育者３に介抱された状態から再実行せざるを得ない。乳児２の寝かしつけに再度失敗することも考えられ、寝かしつけを繰り返す必要性が生じるおそれがある。本実施の形態における寝かしつけ支援装置１は、脳波センサ５によって収集される乳児２の脳波データに基づき、寝かしつけに成功する可能性が高いタイミングを検出して、そのタイミングで乳児２をベッド４へ横たえることにより、乳児２の寝かしつけに失敗して寝かしつけを繰り返すといった可能性を低減する。
【００１６】
図３は、覚醒時、浅い睡眠時、および深い睡眠時における脳波５１、５２および５３の例を示す模式図である。この模式図において、縦軸は電位、横軸は時刻を示す。一般に、人間の覚醒時の脳波５１は主にα波やβ波で構成されるが、図３に示されるように、入眠段階の浅い睡眠時の脳波５２は覚醒時の脳波５１に比べて周波数が小さい成分を多く含むようになる、という変化が見られる。図３の深い睡眠時の脳波５３として示されるように、睡眠が深くなるにつれて、α波やβ波よりも周波数が小さくてかつ電位の振幅が大きいδ波が占める割合が増していく。したがって、例えば、脳波センサ５によって収集される乳児２の脳波データに基づき、乳児２の睡眠の深さを識別することができる。
【００１７】
乳児２の睡眠の深さと、上述した寝かしつけの成否とは、一定の関係があると考えられる。そこで、乳児２の寝かしつけに成功した際、それまでに脳波センサ５によって収集された乳児２の脳波データに基づき、寝かしつけ成功という結果が得られやすい脳波データの条件が寝かしつけ実行条件Ｃ１として設定されれば、電子機器１０は、その寝かしつけ実行条件Ｃ１の充足を契機として乳児２をベッド４へ横たえるタイミングに関する情報を、養育者３へ出力することができる。
【００１８】
図４は、電子機器１０における寝かしつけのタイミングに関する寝かしつけタイミング情報の出力を例示する図である。具体的には、電子機器１０の出力装置１４がディスプレイであって、かつ入力インタフェース１３がタッチパネルである例が示されている。画面１４０には、メッセージ１４１および１４２が表示されるとともに、タッチパネルとして触れるための領域１３１、１３２および１３３が表示されている。図４に示す例では、寝かしつけのタイミングに関する寝かしつけタイミング情報として、「今なら寝かしつけ実行に成功する可能性５０％以上です」というメッセージ１４１が画面出力されている。
【００１９】
図４において、メッセージ１４１の下には、「寝かしつけ実行結果」というメッセージ１４２が画面出力され、さらにその下に、「成功」と記載された領域１３１、「失敗」と記載された領域１３２および「キャンセル」と記載された領域１３３が表示されている。メッセージ１４１を視認した養育者３は、寝かしつけを実行して乳児２を横たえることに成功した場合、「成功」と記載された領域１３１に触れることによって、乳児２を横たえた結果が成功である旨を入力する。寝かしつけを実行して乳児２を横たえることに失敗した場合、養育者３は、「失敗」と記載された領域１３２に触れることによって、乳児２を横たえた結果が失敗である旨を入力する。寝かしつけを実行しない場合、養育者３は、「キャンセル」と記載された領域１３３に触れることによって、乳児２を横たえた結果が未確定である旨を入力する。
【００２０】
養育者３が乳児２を横たえた結果、すなわち寝かしつけ実行結果の入力が検出されると、その結果を示す結果データが生成され、その生成された結果データに基づいて、寝かしつけ成功という結果が得られやすい脳波データの条件としての寝かしつけ実行条件Ｃ１が設定される。ただし、寝かしつけ実行条件Ｃ１が既に設定されていた場合は、上書きによって再設定されるか、または再設定されずに既存の設定が保持される。寝かしつけ実行条件Ｃ１は、例えば、過去複数回の寝かしつけ実行結果の履歴に基づいて定められる。その具体例を、図５を用いて説明する。
【００２１】
図５は、寝かしつけ実行結果の履歴データ５５を例示する図である。図５（ａ）および図５（ｂ）において、寝かしつけ実行結果の履歴データ５５は、識別子Ｘに対応する乳児２に対する寝かしつけ実行結果と、その寝かしつけに対応する乳児２の脳波データとを含み、養育者３および／または乳児２を識別するための識別子データごとに、上から新しい順に記載されている。図５（ａ）に示す寝かしつけ実行結果の履歴データ５５には、識別子Ｘに対応する乳児２に対する直近の寝かしつけ実行結果として、「１分間、δ波が脳波全体の４５％を占めたとき成功」という履歴が記録されている。２番目に新しい寝かしつけ実行結果として、「３０秒間、δ波が脳波全体の４５％を占めたとき失敗」という履歴が記録されている。３番目に新しい寝かしつけ実行結果として、「４０秒間、δ波が脳波全体の４５％を占めたとき失敗」という履歴が記録されている。４番目に新しい寝かしつけ実行結果として、「５０秒間、δ波が脳波全体の４５％を占めたとき成功」という履歴が記録されている。
【００２２】
図５（ａ）に例示されるような、識別子Ｘに対応する乳児２に対する過去４回の寝かしつけ実行結果の結果データと、それぞれに対応する脳波データとの履歴を含む履歴データ５５に基づいて、次のようにして寝かしつけ実行条件Ｃ１を定めることができる。図５（ａ）に例示される過去４回の寝かしつけ実行結果の履歴データ５５によると、いずれの実行結果においてもδ波が脳波全体のうちの４５％を占めている状態であって、その状態が継続した時間Ｔ１が相違する。時間Ｔ１が３０秒間および４０秒間のとき、養育者３は、寝かしつけを実行して識別子Ｘに対応する乳児２を横たえることに失敗している。時間Ｔ１が５０秒間および１分間のとき、養育者３は、寝かしつけを実行して識別子Ｘに対応する乳児２を横たえることに成功している。
【００２３】
したがって、時間Ｔ１が４５秒間のとき、すなわち識別子Ｘに対応する乳児２から収集される脳波全体のうちの４５％をδ波が４５秒間占めると、養育者３が寝かしつけを実行してその乳児２を横たえることに成功する可能性は、５０％になると推定される。この推定に基づくと、図４に示すメッセージ１４１が画面出力される時点で時間Ｔ１は既に４５秒間を越えていることとなるため、成功可能性が５０％以上に達していると考えられる。例えば成功可能性が５０％以上のとき、寝かしつけ実行条件Ｃ１が充足されるというように、寝かしつけ実行条件Ｃ１を定めたとすれば、寝かしつけタイミング情報が生成され、図４に示すメッセージ１４１が画面出力される。メッセージ１４１には「今なら寝かしつけ実行に成功する可能性５０％以上です」と記載されている。
【００２４】
図５（ａ）とは別の例として、図５（ｂ）に示す寝かしつけ実行結果の履歴データ５５には、識別子Ｘに対応する乳児２に対する直近の寝かしつけ実行結果として、「１分間、δ波が脳波全体の５０％を占めたとき成功」という履歴が記録されている。２番目に新しい寝かしつけ実行結果として、「１分間、δ波が脳波全体の４０％を占めたとき成功」という履歴が記録されている。３番目に新しい寝かしつけ実行結果として、「１分間、δ波が脳波全体の２０％を占めたとき失敗」という履歴が記録されている。４番目に新しい寝かしつけ実行結果として、「１分間、δ波が脳波全体の３０％を占めたとき失敗」という履歴が記録されている。
【００２５】
図５（ｂ）に例示されるような、識別子Ｘに対応する乳児２に対する過去４回の寝かしつけ実行結果の結果データと、それぞれに対応する脳波データとの履歴を含む履歴データ５５に基づいて、次のようにして寝かしつけ実行条件Ｃ１を定めることができる。図５（ｂ）に例示される過去４回の寝かしつけ実行結果の履歴データ５５によると、いずれの実行結果においてもδ波が脳波全体のうちのある割合Ｒ１を１分間占めている状態であって、その割合Ｒ１が相違する。割合Ｒ１が２０％および３０％のとき、養育者３は、寝かしつけを実行して識別子Ｘに対応する乳児２を横たえることに失敗している。割合Ｒ１が４０％および５０％のとき、養育者３は、寝かしつけを実行して識別子Ｘに対応する乳児２を横たえることに成功している。
【００２６】
したがって、割合Ｒ１が３５％のとき、すなわち識別子Ｘに対応する乳児２から収集される脳波全体のうちの３５％をδ波が１分間占めると、養育者３が寝かしつけを実行してその乳児２を横たえることに成功する可能性は、５０％になると推定される。この推定に基づくと、図４に示すメッセージ１４１が画面出力される時点で乳児２の睡眠はさらに深まり、割合Ｒ１が３５％を越えていることとなるため、成功可能性が５０％以上に達していると考えられる。例えば成功可能性が５０％以上のとき、寝かしつけ実行条件Ｃ１が充足されるというように、寝かしつけ実行条件Ｃ１を定めたとすれば、寝かしつけタイミング情報が生成され、図４に示すメッセージ１４１が画面出力される。メッセージ１４１には「今なら寝かしつけ実行に成功する可能性５０％以上です」と記載される。
【００２７】
図６は、電子機器１０においてコンピュータプログラムが走行することによって行われる寝かしつけ支援処理を例示する図である。電子機器１０のプロセッサ１１は、メモリ１２に格納されているコンピュータプログラムを起動し、図６に示す処理を実行することによって、取得・送出部１１１と、検出部１１２と、生成部１１３と、設定部１１４として機能する。
【００２８】
この寝かしつけ支援処理が開始されると、ステップＳ６１０において、取得・送出部１１１は、通信モジュール１５を介し、脳波センサ５から乳児２の脳波データを取得する。ステップＳ６２０において、検出部１１２は、取得された乳児２の脳波データが寝かしつけ実行条件Ｃ１を充足するか否かを検出する。寝かしつけ実行条件Ｃ１は、乳児２の寝かしつけ成功という結果が得られやすい乳児２の脳波データの条件に対応する。ステップＳ６１０で肯定判定がなされると、プロセッサ１１は、この寝かしつけ支援処理をステップＳ６３０へ進める。ステップＳ６１０で否定判定がなされると、プロセッサ１１は、この寝かしつけ支援処理をステップＳ６１０へ戻す。
【００２９】
ステップＳ６３０において、生成部１１３は、寝かしつけのタイミングに関する情報、すなわち養育者３が乳児２をベッド４へ横たえるタイミングに関する寝かしつけタイミング情報を生成する。ステップＳ６４０において、生成部１１３は、ステップＳ６３０で生成された寝かしつけタイミング情報を出力する。養育者３が乳児２をベッド４へ横たえるタイミングに関する寝かしつけタイミング情報として、例えば図４に示すメッセージ１４１が、生成部１１３によって生成され、出力装置１４の画面１４０に出力される。
【００３０】
ステップＳ６５０において、養育者３が画面１４０上に表示された領域１３１、１３２または１３３に触れることによって、養育者３が乳児２を横たえた結果の入力が行われると、検出部１１２がその入力を検出する。ステップＳ６６０において、生成部１１３は、ステップＳ６５０で入力された養育者３が乳児２を横たえた結果を示す結果データを生成する。ステップＳ６７０において、設定部１１４は、ステップＳ６６０で生成された乳児２に対する寝かしつけ実行結果を示す結果データと、それに対応する乳児２の脳波データとに基づいて、寝かしつけ実行条件Ｃ１を設定または再設定する。寝かしつけ実行条件Ｃ１の設定例の詳細については、図５を用いて説明したとおりである。ステップＳ６７０における処理が完了すると、この寝かしつけ支援処理は終了する。なお、図６に示す寝かしつけ支援処理は、終了後に脳波データが取得可能であれば再び開始されるというように、乳児２が脳波センサ５を着用している間は常時繰り返されることとしてもよい。
【００３１】
本実施の形態における寝かしつけ支援装置１によれば、以下の作用効果が得られる。
【００３２】
（１）寝かしつけ支援装置１は、脳波センサ５と、電子機器１０とを含む。脳波センサ５は、乳児２の脳波５１、５２および／または５３を示す脳波データを収集する脳波データ収集部６１を含むプロセッサ６を有する。電子機器１０は、検出部１１２と生成部１１３とを含むプロセッサ１１と、出力装置１４とを有する。検出部１１２は、脳波データに基づき、養育者３に介抱された乳児２の脳波が寝かしつけ実行条件Ｃ１を充足するか否かを検出する。寝かしつけ実行条件Ｃ１の充足が検出されると、生成部１１３は、乳児２を横たえるタイミングに関する寝かしつけタイミング情報としてメッセージ１４１を生成する。出力装置１４は、生成されたメッセージ１４１を養育者３へ画面１４０に出力する。したがって、寝かしつけ支援装置１は、養育者３が介抱している状態で入眠した乳児２をベッド４に横たえたときに、その乳児２が覚醒する可能性を低減するという効果を奏する。
【００３３】
（２）寝かしつけ支援装置１に含まれる電子機器１０のプロセッサ１１は、養育者３が乳児２を横たえた結果を示す結果データおよび脳波データに基づき寝かしつけ実行条件Ｃ１を設定する設定部１１４をさらに有する。したがって、寝かしつけ支援装置１において、寝かしつけ実行条件Ｃ１の精度が向上し得るという効果が生じる。
【００３４】
（３）寝かしつけ支援装置１に含まれる電子機器１０は、養育者２が乳児２を横たえた結果を養育者２が入力するための入力インタフェース１３をさらに有する。電子機器１０のプロセッサ１１に含まれる生成部１１３は、入力インタフェース１３を介して入力されたその結果に基づいて結果データを生成する。したがって、寝かしつけ支援装置１において、養育者３自身が寝かしつけに成功したと納得していることを反映した結果データが得られ、寝かしつけ実行条件Ｃ１の精度が向上し得るという効果が生じる。
【００３５】
−第２の実施の形態−
本発明の第２の実施の形態における寝かしつけ支援装置１について、図７および図８を用いて説明する。ただし、第１の実施の形態と共通する内容については、説明を省略する。
【００３６】
図７は、本発明の第２の実施の形態における寝かしつけ支援装置１の構成を示す図である。図７（ａ）において、寝かしつけ支援装置１は、脳波センサ５と電子機器１０と情報処理装置２０とを含み、電子機器１０と情報処理装置２０とが通信ネットワーク３０を介して互いに接続されている。電子機器１０の通信モジュール１５は、電子機器１０と情報処理装置２０とが通信ネットワーク３０を介して互いに接続されるための、無線通信機能又は有線通信機能をさらに有する。電子機器１０のプロセッサ１１に含まれる取得・送出部１１１は、通信モジュール１５を介して、後述する個別情報を情報処理装置２０へ送出する処理も行い、さらには後述する設定情報を情報処理装置２０から取得する処理も行う。
【００３７】
図７（ｂ）に示すように、情報処理装置２０は、例えば大容量サーバコンピュータであり、プロセッサ２１、メモリ２２および通信モジュール２３を有する。情報処理装置２０には、不図示の記憶装置が内蔵されるか、または外部接続される。プロセッサ２１が、メモリ２２に格納されているコンピュータプログラムを起動することによって、通信モジュール２３の動作、記憶装置への情報の書き込み、および記憶装置からの情報の読み出しを制御するとともに、後述する取得・送出部２１１および決定部２１２として機能する。通信モジュール２３は、情報処理装置２０と電子機器１０とが通信ネットワーク３０を介して互いに接続されるための、無線通信機能又は有線通信機能を有する。プロセッサ２１は、取得した後述する脳波データと、結果を示すデータと、識別用データとを含む情報を記憶装置に書き込むとともに、書き込まれた情報を記憶装置から読み出す。
【００３８】
図８は、電子機器１０および情報処理装置２０においてコンピュータプログラムが走行することによって行われる寝かしつけ支援処理を例示する図である。電子機器１０のプロセッサ１１は、メモリ１２に格納されているコンピュータプログラムを起動し、図８に示すステップＳ６１０からステップＳ６６０まで、ステップＳ８１０、ステップＳ８５０およびステップＳ８６０の処理を実行することによって、取得・送出部１１１と、検出部１１２と、生成部１１３と、設定部１１４として機能する。情報処理装置２０のプロセッサ２１は、メモリ２２に格納されているコンピュータプログラムを起動し、図８に示すステップＳ８２０からステップＳ８４０までの処理を実行することによって、取得・送出部２１１および決定部２１２として機能する。
【００３９】
本実施の形態において実行される寝かしつけ支援処理は、第１の実施の形態において実行される寝かしつけ支援処理と一部の処理ステップが共通する。図８においては、図６と比較すると、ステップＳ６１０からステップＳ６６０までの処理が共通し、その処理に引き続いて、電子機器１０と、情報処理装置２０とにおいて、それぞれステップＳ８１０、ステップＳ８５０およびステップＳ８６０の処理と、ステップＳ８２０からステップＳ８４０までの処理とが実行される。
【００４０】
この寝かしつけ支援処理が電子機器１０で開始されると、第１の実施の形態と同様にステップＳ６１０からステップＳ６６０までの処理が行われる。ステップＳ６６０の後のステップＳ８１０において、電子機器１０のプロセッサ１１に含まれる取得・送出部１１１は、ステップＳ６１０で取得された乳児２の脳波データと、ステップＳ６６０で生成された乳児２に対する寝かしつけ実行結果を示す結果データと、養育者３および／または乳児２を識別するための識別子データとを含む個別情報を、通信モジュール１５を介して情報処理装置２０へ送出する。すると、この寝かしつけ支援処理が情報処理装置２０でも開始され、ステップＳ８２０において、情報処理装置２０のプロセッサ２１に含まれる取得・送出部２１１は、ステップＳ８１０で電子機器１０から送出された個別情報を、通信モジュール２３を介して取得する。
【００４１】
ステップＳ８３０において、情報処理装置２０のプロセッサ２１に含まれる決定部２１２は、ステップＳ８２０で取得された個別情報に含まれる識別子データで特定される乳児２に対する寝かしつけ実行結果を示す結果データと、それに対応する乳児２の脳波データとに基づいて、寝かしつけ実行条件Ｃ１を決定する。寝かしつけ実行条件Ｃ１の決定例は図５に示す例と同様である。ステップＳ８４０において、情報処理装置２０のプロセッサ２１に含まれる取得・送出部２１１は、ステップＳ８３０で決定された寝かしつけ実行条件Ｃ１に関する設定情報を、通信モジュール２３を介して電子機器１０へ送出する。ステップＳ８６０における処理が完了すると、情報処理装置２０におけるこの寝かしつけ支援処理は終了する。
【００４２】
ステップＳ８５０において、電子機器１０のプロセッサ１１に含まれる取得・送出部１１１は、ステップＳ８４０で送出された寝かしつけ実行条件Ｃ１に関する設定情報を、通信モジュール１５を介して取得する。ステップＳ８６０において、電子機器１０のプロセッサ１１に含まれる設定部１１４は、ステップＳ８５０で取得された設定情報に基づいて、寝かしつけ実行条件Ｃ１を設定または再設定する。ステップＳ８６０における処理が完了すると、電子機器１０におけるこの寝かしつけ支援処理は終了する。なお、図８に示す寝かしつけ支援処理は、終了後に脳波データが取得可能であれば再び開始されるというように、乳児２が脳波センサ５を着用している間は常時繰り返されることとしてもよい。
【００４３】
本実施の形態における寝かしつけ支援装置１によれば、第１の実施の形態で得られるのと同様の作用効果（１）、（２）および（３）に加え、さらに以下の作用効果（４）が得られる。
【００４４】
（４）寝かしつけ支援装置１は、脳波センサ５と、電子機器１０とに加えて、情報処理装置２０をさらに含む。情報処理装置２０のプロセッサ２１は、取得・送出部２１１と決定部２１２とを有する。取得・送出部２１１は、乳児２の脳波データと、乳児２に対する寝かしつけ実行結果を示す結果データと、養育者３および／または乳児２を識別するための識別子データとを含む個別情報を、電子機器１０から取得する。決定部２１２は、その個別情報に基づいて寝かしつけ実行条件Ｃ１を決定する。情報処理装置２０には、電子機器１０に内蔵することが困難な程度に高度な機械学習アルゴリズムであっても、実装することが可能である。したがって、電子機器１０は、例えばそうした高度な機械学習アルゴリズムを通じて決定された寝かしつけ実行条件Ｃ１を設定することが可能という効果を奏する。
【００４５】
−第３の実施の形態−
本発明の第３の実施の形態における寝かしつけ支援装置１について、図９、図１０および図１１を用いて説明する。ただし、第１の実施の形態と共通する内容については、説明を省略する。
【００４６】
図９は、本発明の第３の実施の形態における寝かしつけ支援装置１の構成を示す図である。図９（ａ）において、脳波センサ５に加え姿勢センサ９を着用した乳児２を養育者３がベッド４に寝かしつける様子が例示されている。寝かしつけにより乳児２が介抱された状態から横たわった状態への状態変化が生じる際に、乳児２の姿勢が変化するため、姿勢センサ９から電子機器１０へ送出される乳児２の姿勢に関する状態を示す姿勢データに基づいて、その状態変化を検出することが可能である。そこで、その状態変化が検出された時刻から一定期間における乳児２の脳波データが、乳児２が覚醒していないことを示すならば、寝かしつけ成功と判定することができるため、養育者３が乳児２を横たえた結果の入力を行うことが不要となる。
【００４７】
図９（ｂ）に示すように、寝かしつけ支援装置１は、脳波センサ５と電子機器１０と姿勢センサ９とを含む。姿勢センサは、例えば傾きセンサ、加速度センサおよび／または角速度センサ等を含み、電子機器１０へＢｌｕｅｔｏｏｔｈ等の無線通信を介して接続されている。
【００４８】
図９（ｃ）に示すように、姿勢センサ９は、プロセッサ９１、メモリ９５および通信モジュール９６を有する。メモリ９５に格納されているコンピュータプログラムをプロセッサ９１が起動することによって、プロセッサ９１は、姿勢センサ９を着用した人間の姿勢に関する姿勢データを収集する姿勢データ収集部９２を論理的に有するとともに、通信モジュール９６の動作を制御することによって、収集された姿勢データを電子機器１０へ送信する。すなわち、姿勢データ収集部９２は、姿勢センサ９を着用した乳児２の姿勢データを収集するとともに、収集した姿勢データを、通信モジュール９６を介して電子機器１０へ送信する。
【００４９】
図９（ｄ）に示すように、電子機器１０は、図１（ｃ）と同様に、プロセッサ１１、メモリ１２、出力装置１４および通信モジュール１５を有するが、入力インタフェース１３を必ずしも有していなくてもよい。通信モジュール１５は、脳波センサ５から電子機器１０へ送信された脳波データを受信するとともに、姿勢センサ９から電子機器１０へ送信された姿勢データを受信する。
【００５０】
電子機器１０のプロセッサ１１は、メモリ１２に格納されているコンピュータプログラムを起動することによって、取得・送出部１１１と、検出部１１２と、生成部１１３と、設定部１１４とに加えて、さらに判定部１１５を論理的に有する。取得・送出部１１１は、第１の実施の形態と同様に脳波データを取得するほか、通信モジュール１５によって受信された姿勢センサ９からの姿勢データをも取得する。検出部１１２は、第１の実施の形態と同様に脳波が寝かしつけ実行条件Ｃ１を充足するか否かを検出するほか、寝かしつけにより乳児２が介抱された状態から横たわった状態への状態変化の有無をも検出する。
【００５１】
その状態変化が有ると検出された後、判定部１１５は、取得・送出部１１１によって取得された脳波データに基づき、脳波が後述する寝かしつけ成功判定条件を充足するか否かを判定し、その判定に基づいて寝かしつけ実行結果を決定する。生成部１１３は、第１の実施の形態と同様に寝かしつけタイミング情報と寝かしつけ実行結果を示す結果データとを生成するほか、その寝かしつけ実行結果に関する通知情報を生成し、その通知情報を出力する。
【００５２】
図１０は、電子機器１０においてコンピュータプログラムが実行されることによって行われる寝かしつけ支援処理を例示する図である。電子機器１０のプロセッサ１１は、メモリ１２に格納されているコンピュータプログラムを起動し、図１０に示す処理を実行することによって、取得・送出部１１１と、検出部１１２と、生成部１１３と、設定部１１４と、判定部１１５として機能する。
【００５３】
本実施の形態において実行される寝かしつけ支援処理は、第１の実施の形態において実行される寝かしつけ支援処理と一部の処理ステップが共通する。図１０においては、図６と比較すると、ステップＳ６１０からステップＳ６４０までの処理と、ステップＳ６６０およびステップＳ６７０とが共通するとともに、ステップＳ６５０に代えて、ステップＳ１０１０からステップＳ１０６０までの処理が実行される。
【００５４】
この寝かしつけ支援処理が開始されると、第１の実施の形態と同様にステップＳ６１０からステップＳ６４０までの処理が行われる。ステップＳ６４０の後のステップＳ１０１０において、取得・送出部１１１は、通信モジュール１５を介して、乳児２の姿勢に関する姿勢データを姿勢センサ９から取得する。ステップＳ１０２０において、検出部１１２は、ステップＳ１０１０で取得された姿勢データに基づいて、寝かしつけにより乳児２が介抱された状態から横たわった状態への状態変化の有無を検出する。ステップＳ１０２０で肯定判定がなされると、プロセッサ１１は、この寝かしつけ支援処理をステップＳ１０３０へ進める。ステップＳ１０２０で否定判定がなされると、プロセッサ１１は、この寝かしつけ支援処理をステップＳ６１０へ戻す。
【００５５】
ステップＳ１０３０において、取得・送出部１１１は、通信モジュール１５を介し、脳波センサ５から乳児２の脳波データを取得する。ステップＳ１０４０において、判定部１１５は、ステップＳ１０３０で取得された脳波データに基づき、脳波が寝かしつけ成功判定条件Ｃ２を充足するか否かを判定する。寝かしつけ成功判定条件Ｃ２とは、例えば、上述した乳児２の姿勢に関する状態変化が検出されてから所定時間Ｔ１が経過するまでの間に、乳児２が覚醒していることを示す脳波が収集される時間が所定時間Ｔ２未満であること、である。所定時間Ｔ１は例えば５分間、それよりも小さい所定時間Ｔ２は例えば１０秒間である。判定部１１５は、脳波が寝かしつけ成功判定条件Ｃ２を充足すると判定したとき、乳児２の寝かしつけ実行結果、すなわち養育者３が乳児２を横たえた結果は成功であると決定し、脳波が寝かしつけ成功判定条件Ｃ２を充足しないと判定したとき、乳児２の寝かしつけ実行結果は失敗であると決定する。
【００５６】
ステップＳ１０５０において、生成部１１３は、養育者３が乳児２を横たえた結果に関する養育者３への通知情報を生成する。ステップＳ１０６０において、生成部１１３は、ステップＳ１０５０で生成された通知情報を、出力装置１４に出力する。ステップＳ１０６０の処理が完了した後、第１の実施の形態と同様にステップＳ６６０およびステップＳ６７０の処理が行われる。ステップＳ６７０における処理が完了すると、この寝かしつけ支援処理は終了する。なお、図１０に示す寝かしつけ支援処理は、終了後に脳波データが取得可能であれば再び開始されるというように、乳児２が脳波センサ５を着用している間は常時繰り返されることとしてもよい。
【００５７】
上述したように、図１０のステップＳ１０６０において、養育者３が乳児２を横たえた結果、すなわち乳児２の寝かしつけ実行結果に関する養育者３への通知情報が電子機器１０の出力装置１４に出力される。これに関連して、図１１は、寝かしつけ実行結果に関する通知情報の出力を例示する図である。図１１において、出力装置１４はディスプレイであり、出力装置１４の画面１４０にメッセージ１４３が表示されている。図１１に示す例では、寝かしつけ実行結果に関する通知情報として「寝かしつけ成功です」というメッセージ１４３が画面出力され、この画面出力によって、寝かしつけ実行結果は成功であることが養育者３へ通知されている。
【００５８】
本実施の形態における寝かしつけ支援装置１によれば、第１の実施の形態で得られるのと同様の作用効果（１）および（２）に加え、さらに以下の作用効果（５）が得られる。
【００５９】
（５）寝かしつけ支援装置１に含まれる電子機器１０のプロセッサ１１は、判定部１１５をさらに有する。判定部１１５は、脳波データに基づいて、横たわった乳児２の脳波が寝かしつけ成功判定条件Ｃ２を充足するか否かに関する判定を行う。電子機器１０のプロセッサ１１が有する生成部１１３は、判定部１１５によって行われた判定に基づいて、養育者３が乳児２を横たえた結果を示す結果データを生成する。したがって、寝かしつけ支援装置１において、乳児２の寝かしつけ実行結果を、養育者３が判定しなくても、電子機器１０が自動的に判定するので利便性が高いという効果が生じる。
【００６０】
（６）寝かしつけ支援装置１は姿勢センサ９をさらに含む。姿勢センサ９は、乳児２の姿勢に関する状態を示す姿勢データを収集する姿勢データ収集部９２を有する。電子機器１０のプロセッサ１１が有する検出部１１２は、姿勢データに基づき、乳児２が養育者３に介抱された状態から、乳児２が横たわった状態への状態変化を検出する。この状態変化が検出されると、電子機器１０のプロセッサ１１が有する判定部１１５は、横たわった乳児２の脳波が寝かしつけ成功判定条件Ｃ２を充足するか否かに関する判定を開始する。したがって、寝かしつけ支援装置１において、乳児２がまだ養育者３に介抱された状態で寝かしつけ成功判定を開始してしまうという誤った処理が低減され、寝かしつけ成功判定条件Ｃ２の精度が向上し得るという効果が生じる。
【００６１】
なお、上述した第１の実施の形態、第２の実施の形態および第３の実施の形態における寝かしつけ支援装置１に含まれる電子機器１０および／または情報処理装置２０で走行するコンピュータプログラムは、ＣＤ−ＲＯＭやＵＳＢメモリ等の記録媒体４５や、インターネット等の通信ネットワーク３０を流れるデータ信号を通じて電子機器１０および／または情報処理装置２０へ提供することができる。図１２は、その様子を示す図であり、すなわち電子機器１０および／または情報処理装置２０で走行するコンピュータプログラムの製品供給態様を例示する図である。
【００６２】
電子機器１０および／または情報処理装置２０は、記録媒体４５を介してコンピュータプログラムの提供を受ける。また、電子機器１０および情報処理装置２０は通信モジュール１５および通信モジュール２３をそれぞれ介して通信ネットワーク３０との接続機能を有する。コンピュータプログラム提供サーバ４０は、上記コンピュータプログラムを提供するサーバコンピュータであり、ハードディスク等の記録媒体４１０にプログラムを格納する。通信ネットワーク３０は、インターネット、無線ＬＡＮ、電話網、或いは専用線等である。コンピュータプログラム提供サーバ４０は記録媒体４１０を使用してプログラムを読み出し、通信ネットワーク３０を介してコンピュータプログラムを電子機器１０および／または情報処理装置２０に送信する。すなわち、コンピュータプログラムをデータ信号として搬送波に載せ、通信ネットワーク３０を介して送信する。このように、コンピュータプログラムは、記録媒体やデータ信号（搬送波）などの種々の形態のコンピュータ読み込み可能なコンピュータプログラム製品として供給できる。
【００６３】
次のような変形も本発明の範囲内であり、変形例の一つ、もしくは複数を上述の実施形態と組み合わせることも可能である。
【００６４】
（変形例１）上述した各実施の形態において、寝かしつけ実行条件Ｃ１は、例えば、過去複数回の寝かしつけ実行結果の履歴データ５５に基づいて定められることとした。図５（ａ）に例示される過去複数回の履歴データ５５においては、δ波が脳波全体のうちの４５％を占めている状態が継続した時間Ｔ１が相異なっている。図５（ｂ）に例示される過去複数回の履歴データ５５においては、δ波が１分間脳波全体に占める割合Ｒ１が相異なっている。しかし、時間Ｔ１および割合Ｒ１のいずれもが相異なる過去複数回の履歴データ５５に基づいて、寝かしつけ実行条件Ｃ１が定められることとしてもよい。例えば、寝かしつけ実行条件Ｃ１は、「δ波が脳波全体のうちの割合Ｒ１を占めている状態が時間Ｔ１継続した場合に寝かしつけ実行に成功する可能性Ｐ１％」として定められる。さらには、δ波ではなくβ波やθ波といった、他の周波数の脳波が脳波全体に占める割合に基づいて寝かしつけ実行条件Ｃ１が定められることとしてもよい。
【００６５】
（変形例２）上述した第３の実施の形態において、寝かしつけ成功判定条件Ｃ２は、乳児２の姿勢に関する状態変化が検出されてから所定時間Ｔ１が経過するまでの間に、乳児２が覚醒していることを示す脳波が収集される時間が所定時間Ｔ２未満であること、とした。所定時間Ｔ１は例えば５分間、それよりも小さい所定時間Ｔ２は例えば１０秒間であるとしたが、所定時間Ｔ１およびＴ２は他の値であってもよい。また、乳児２が覚醒していることを示す脳波ではなく、乳児２が睡眠状態にあることを示す脳波が収集される時間に基づいて寝かしつけ成功判定条件Ｃ２が定められることとしてもよい。
【００６６】
（変形例３）上述した各実施の形態において、図５に例示される過去複数回の履歴データ５５に含まれる識別子Ｘは乳児２に対応付けられている。しかし、識別子Ｘは養育者３に対応付けられることとしてもよい。或いは、養育者３が複数の乳児２を養育している場合に、養育者３および乳児２のいずれにも識別子が対応付けられることとしてもよい。
【００６７】
（変形例４）上述した各実施の形態において、図５に例示される過去複数回の履歴データ５５には、識別子Ｘが対応付けられた乳児２に対する寝かしつけ実行結果が含まれている。しかし、履歴データ５５には、識別子Ｘとは異なる識別子Ｙが対応付けられた別の乳児２に対する寝かしつけ実行結果が含まれることとしてもよい。識別子Ｘが対応付けられた乳児２の寝かしつけ実行条件Ｃ１の設定に、識別子Ｙが対応付けられた乳児２の脳波データが用いられることによって、寝かしつけ実行条件Ｃ１の精度が向上する可能性がある。特に、第２の実施の形態においては、情報処理装置２０に、識別子Ｙが対応付けられた乳児２の脳波データのうちの最新のものや、さらには他の多くの識別子が対応付けられた乳児２の脳波データが格納されることもあるため、それらの脳波データを用いて、識別子Ｘが対応付けられた乳児２用の、精度の高い寝かしつけ実行条件Ｃ１が得られる可能性がある。
【００６８】
（変形例５）上述した各実施の形態において、乳児２が脳波センサ５および／または姿勢センサ９を着用している。しかし、養育者３が脳波センサ５および／または姿勢センサ９を着用してもよい。或いは、電子機器１０と脳波センサ５および／または姿勢センサ９とが物理的に一体化された統合デバイスとして設けられてもよい。その場合、通信遅延が低減され、寝かしつけタイミング情報の出力や寝かしつけ成功判定を、より迅速に行うことができる。
【００６９】
（変形例６）上述した第３の実施の形態において、寝かしつけにより乳児２が介抱された状態から横たわった状態への状態変化の有無が、姿勢センサ９で収集された姿勢データに基づいて検出されることとした。しかし、その状態変化の有無は、他の装置によって検出されることとしてもよい。例えば、乳児２の背面に圧力センサを装着し、乳児２の背面とベッド４との接触を検出したことを通知する圧力センサからの信号が電子機器１０で受信されることによって、上述した状態変化の発生を検出することができる。
【００７０】
（変形例７）上述した第３の実施の形態において、図１０のステップＳ１０２０で寝かしつけにより乳児２が介抱された状態から横たわった状態への状態変化が検出された後、電子機器１０のプロセッサ１１に含まれる判定部１１５は、ステップＳ１０４０で乳児２の脳波が寝かしつけ成功判定条件Ｃ２の従属性に基づいて、乳児２の寝かしつけ実行結果の成否を決定する。しかし、寝かしつけ成功判定条件Ｃ２の充足性に加え、或いはその充足性とは別に、他の寝かしつけ成功判定条件Ｃ３の充足性に基づいて、乳児２の寝かしつけ実行結果の成否が決定されることとしてもよい。寝かしつけ成功判定条件Ｃ３の充足性は、例えば、姿勢センサ９から取得・送出部１１１が取得する姿勢データに基づき、乳児２が横たわった状態から介抱された状態への状態復帰の有無を検出部１１２が検出することによって、判定部１１５により判定される。
【００７１】
乳児２が横たわった状態が所定時間Ｔ３以上継続すると、検出部１１２は上述した状態復帰が生じなかったことを検出し、判定部１１５は、寝かしつけ成功判定条件Ｃ３が充足される、すなわち寝かしつけ実行結果は成功であると判定する。乳児２が横たわった状態が所定時間Ｔ３未満で終結すると、検出部１１２は上述した状態復帰が生じたことを検出し、判定部１１５は、寝かしつけ成功判定条件Ｃ３が充足されない、すなわち寝かしつけ実行結果は失敗であると判定する。換言すると、寝かしつけ成功判定条件Ｃ３の充足性は、姿勢センサ９による検出内容に基づいて判定される。寝かしつけ実行結果は失敗であると判定されたとき、寝かしつけをリトライするか否かを養育者３へ尋ねる問い合わせ画面が、生成部１１３により出力装置１４の画面１４０に出力されることとしてもよい。養育者３が寝かしつけをリトライすることを選択すると、図１０に示す寝かしつけ支援処理は、ステップＳ６１０へ戻って再び実行される。
【００７２】
（変形例８）上述した第１および／または第２の実施の形態において、寝かしつけにより乳児２を横たえた結果が、養育者３による入力に基づいて検出されることとした。しかし、その寝かしつけの結果は、乳児２が着用していた脳波センサ５が取り外された状態になった場合、あるいは電源がオフにされた状態になった場合、成功であると検出される可能性が高いと考えられる。そこで、例えば、図６および／または図８のステップＳ６４０における図４に示すメッセージ１４１が出力装置１４の画面１４０に出力された後、乳児２が着用していた脳波センサ５が取り外された状態になったとき、あるいは電源がオフにされた状態になったとき、メッセージ１４２として、「寝かしつけ実行結果」に代えて、寝かしつけに成功したか否かを尋ねるメッセージが画面１４０に出力されることとしてもよい。乳児２が着用していた脳波センサ５が取り外された状態になったこと、あるいは電源がオフにされた状態になったことは、例えば、電子機器１０のプロセッサ１１に含まれる取得・送出部１１１が脳波センサ５から乳児２の脳波データを取得できなくなったとき、検出することができる。
【００７３】
（変形例９）上述した各実施の形態において、乳児２に脳波センサ５を着用させて脳波を用いて寝かしつけ支援処理を行うこととした。しかし、バイタルデータには脳波に限らず他の生体情報も含まれることから、脳波以外のバイタルサインを用いて寝かしつけ支援処理を行ってもよい。例えば、脳波センサ５に代えて、或いは脳波センサ５とともに、生体センサを乳児２に着用させることにより、生体センサで収集される乳児２の心拍数、脈拍数および／または筋電位といったバイタルサインを、上述した寝かしつけ支援処理に用いることができる。また、脳波収集時には、収集データに筋電位によるノイズが含まれることがあるため、乳児２のバイタルサインとして脳波とともに筋電位を収集することによって、脳波センサ５によって収集された脳波データから筋電位によるノイズをキャンセルすることができる。
【００７４】
（変形例１０）上述した各実施の形態において、電子機器１０は、携帯電話機またはタブレットコンピュータ等の携帯端末であるとしたが、パーソナルコンピュータ等の他の電子機器であってもよい。また、電子機器１０の出力装置１４がディスプレイであって、かつ入力インタフェース１３がタッチパネルであることとしたが、音声出力機能を有する出力装置１４および音声入力機能を有する入力インタフェース１３であってもよい。すなわち、電子機器１０は、スマートスピーカであってもよい。或いは、電子機器１０の出力装置１４がランプで構成されていてもよい。例えば、寝かしつけに成功する可能性の大きさに応じてランプの色を異ならせる。さらには、電子機器１０は、様々な種類のウェアラブルデバイスであってもよい。
【００７５】
本発明の特徴的な機能を損なわない限り、本発明は、上述した各実施の形態および各変形例における構成に何ら限定されない。
【符号の説明】
【００７６】
１  寝かしつけ支援装置、２  乳児、３  養育者、４  ベッド、５  脳波センサ、６  プロセッサ、７  メモリ、８  通信モジュール、９  姿勢センサ、１０  電子機器、１１  プロセッサ、１２  メモリ、１３  入力インタフェース、１４  出力装置、１５  通信モジュール、２０  情報処理装置、２１  プロセッサ、２２  メモリ、２３  通信モジュール、３０  通信ネットワーク、４０  コンピュータプログラム提供サーバ、４５  記録媒体、５１，５２，５３  脳波、５５  履歴データ、６１  脳波データ収集部、９１  プロセッサ、９２  姿勢データ収集部、９５  メモリ、９６  通信モジュール、１１１  取得・送出部、１１２  検出部、１１３  生成部、１１４  設定部、１１５  判定部、１３１，１３２，１３３  領域、１４０  画面、１４１，１４２，１４３  メッセージ、２１１  取得・送出部、２１２  決定部、４１０  記録媒体
【図１】
2020049624.tif 000003
【図２】
2020049624.tif 000004
【図３】
2020049624.tif 000005
【図４】
2020049624.tif 000006
【図５】
2020049624.tif 000007
【図６】
2020049624.tif 000008
【図７】
2020049624.tif 000009
【図８】
2020049624.tif 000010
【図９】
2020049624.tif 000011
【図１０】
2020049624.tif 000012
【図１１】
2020049624.tif 000013
【図１２】
2020049624.tif 000014
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
乳児の脳波を示す第１のデータを収集する第１の収集部を有する第１のセンサと、
前記第１のデータに基づき、養育者に介抱された前記乳児の前記脳波に含まれる周波数の異なる複数の成分のうちの少なくとも一つが前記脳波に占める割合が所定割合である状態が継続する時間に応じて第１の条件を充足するか否かを検出する検出部と、前記第１の条件の充足が検出されると、前記乳児を横たえるタイミングに関する第１の情報を生成する生成部と、生成された前記第１の情報を前記養育者へ出力する出力装置とを有する電子機器とを備える、
寝かしつけ支援装置。
【請求項２】
請求項１に記載の寝かしつけ支援装置において、
前記電子機器は、前記養育者が前記乳児を横たえた結果を示す第２のデータおよび前記第１のデータに基づき前記第１の条件を設定する設定部をさらに有する、
寝かしつけ支援装置。
【請求項３】
請求項２に記載の寝かしつけ支援装置において、
前記第１のデータと、前記第２のデータと、前記養育者または前記乳児を識別する第３のデータとを含む第２の情報を前記電子機器から取得する取得部と、前記第２の情報に基づいて前記第１の条件を決定する決定部とを有する情報処理装置をさらに備え、
前記設定部は、前記決定部によって決定された前記第１の条件を設定する、
寝かしつけ支援装置。
【請求項４】
請求項２または請求項３に記載の寝かしつけ支援装置において、
前記電子機器は、前記養育者が前記結果を入力するための入力インタフェースをさらに有し、
前記電子機器の前記生成部は、前記入力インタフェースを介して入力された前記結果に基づいて前記第２のデータを生成する、
寝かしつけ支援装置。
【請求項５】
請求項２または請求項３に記載の寝かしつけ支援装置において、
前記電子機器は、前記第１のデータ、前記第１のセンサの状態、および前記第１のセンサとは異なる第２のセンサによる検出内容のうちの少なくとも一つに基づいて、横たわった前記乳児の前記脳波が第２の条件を充足するか否かに関する判定を行う判定部をさらに有し、
前記電子機器の前記生成部は、前記判定に基づいて、前記結果を示す前記第２のデータを生成する、
寝かしつけ支援装置。
【請求項６】
請求項５に記載の寝かしつけ支援装置において、
前記第２のセンサは、前記養育者または前記乳児の姿勢に関する状態を示す第４のデータを収集する第２の収集部を有し、
前記検出部は、前記第４のデータに基づき、前記乳児が前記養育者に介抱された状態から、前記乳児が横たわった状態への状態変化を検出し、
前記状態変化が検出されると、前記判定部は前記判定を開始する、
寝かしつけ支援装置。
【手続補正２】
【補正対象書類名】明細書
【補正対象項目名】０００５
【補正方法】変更
【補正の内容】
【０００５】
本発明の第１の態様によると、寝かしつけ支援装置は、乳児の脳波を示す第１のデータを収集する第１の収集部を有する第１のセンサと、前記第１のデータに基づき、養育者に介抱された前記乳児の前記脳波に含まれる周波数の異なる複数の成分のうちの少なくとも一つが前記脳波に占める割合が所定割合である状態が継続する時間に応じて第１の条件を充足するか否かを検出する検出部と、前記第１の条件の充足が検出されると、前記乳児を横たえるタイミングに関する第１の情報を生成する生成部と、生成された前記第１の情報を前記養育者へ出力する出力装置とを有する電子機器とを備える。
本発明の第２の態様によると、第１の態様の寝かしつけ支援装置において、前記電子機器は、前記養育者が前記乳児を横たえた結果を示す第２のデータおよび前記第１のデータに基づき前記第１の条件を設定する設定部をさらに有するのが好ましい。
本発明の第３の態様によると、第２の態様の寝かしつけ支援装置において、前記第１のデータと、前記第２のデータと、前記養育者または前記乳児を識別する第３のデータとを含む第２の情報を前記電子機器から取得する取得部と、前記第２の情報に基づいて前記第１の条件を決定する決定部とを有する情報処理装置をさらに備えるのが好ましい。前記設定部は、前記決定部によって決定された前記第１の条件を設定する。
本発明の第４の態様によると、第２または第３の態様の寝かしつけ支援装置において、前記電子機器は、前記養育者が前記結果を入力するための入力インタフェースをさらに有し、前記電子機器の前記生成部は、前記入力インタフェースを介して入力された前記結果に基づいて前記第２のデータを生成するのが好ましい。
本発明の第５の態様によると、第２または第３の態様の寝かしつけ支援装置において、前記電子機器は、前記第１のデータ、前記第１のセンサの状態、および前記第１のセンサとは異なる第２のセンサによる検出内容のうちの少なくとも一つに基づいて、横たわった前記乳児の前記脳波が第２の条件を充足するか否かに関する判定を行う判定部をさらに有し、前記電子機器の前記生成部は、前記判定に基づいて、前記結果を示す前記第２のデータを生成するのが好ましい。
本発明の第６の態様によると、第５の態様の寝かしつけ支援装置において、前記第２のセンサは、前記養育者または前記乳児の姿勢に関する状態を示す第４のデータを収集する第２の収集部を有するのが好ましい。前記検出部は、前記第４のデータに基づき、前記乳児が前記養育者に介抱された状態から、前記乳児が横たわった状態への状態変化を検出する。前記状態変化が検出されると、前記判定部は前記判定を開始する。
【国際調査報告】
2020049624.tif 000015
2020049624.tif 000016
2020049624.tif 000017
2020049624.tif 000018